(57)【要約】【課題】  小型かつ簡単な構成でコストダウンを容易に図ることができる光ディスク装置を提供する。【解決手段】  可撓性の光ディスクＡを回転させつつ、当該光ディスクＡに対物レンズ２を対向配置して光学的にアクセスを行う光ディスク装置であって、光ディスクＡに対して対物レンズ２と同じ側に配置されるとともに、当該対物レンズ２のディスク回転方向についての両隣に位置して光ディスクＡに近接させられる一対のスタビライザ３Ａ，３Ｂを備えている。一対のスタビライザ３Ａ，３Ｂは、対物レンズ２との間隔が同等となるように配置されている。スタビライザ３Ａ，３Ｂは、長手状を呈して光ディスクＡの半径方向に沿うように配置されている。【選択図】  図１
2006244583.tif 000002
【特許請求の範囲】
【請求項１】
可撓性の光ディスクを回転させつつ、当該光ディスクに対物レンズを対向配置して光学的にアクセスを行う光ディスク装置であって、
上記光ディスクに対して上記対物レンズと同じ側に配置されるとともに、当該対物レンズのディスク回転方向についての両隣に位置して上記光ディスクに近接させられる少なくとも一対以上のスタビライザを備えていることを特徴とする、光ディスク装置。
【請求項２】
上記一対のスタビライザは、上記対物レンズとの間隔が同等となるように配置されている、請求項１に記載の光ディスク装置。
【請求項３】
上記スタビライザは、長手状を呈して上記光ディスクの半径方向に沿うように配置されている、請求項１または２に記載の光ディスク装置。
【請求項４】
上記光ディスクに対する上記スタビライザの対向面は、曲面状に形成されており、かつ、上記光ディスクのインナー側からアウター側に向かって曲率半径が大きくなるように形成されている、請求項３に記載の光ディスク装置。
【請求項５】
上記スタビライザの対向面には、凹凸が形成されている、請求項３または４に記載の光ディスク装置。
【発明の詳細な説明】
【技術分野】
【０００１】
本願発明は、可撓性の光ディスクを回転させ、当該光ディスクに対して光学的にアクセスを行う光ディスク装置に関する。
【背景技術】
【０００２】
たとえばディスクライブラリに用いられる光ディスクは、装置全体の小型化や大容量化などの点で有利なことから、厚みが１００μｍ程度で可撓性を有するものが提案されている。このような可撓性の光ディスクを回転させて光学的にアクセスするための従来の光ディスク装置としては、たとえば特許文献１に開示されたものがある。
【０００３】
同文献に開示された光ディスク装置は、光ディスクを高速回転させ、当該光ディスクに対物レンズを対向配置する一方、この光ディスクに対して対物レンズが配置された側とは反対側に安定化ガイド部材（スタビライザ）を近接配置したものである。対物レンズおよび安定化ガイド部材に対向する光ディスクのアクセス部分は、回転軸に直交する回転面に対して傾斜している。このような構成によれば、光ディスクのアクセス部分が対物レンズと安定化ガイド部材との間を高速に通り抜けていく。このとき、当該アクセス部分には、空気流の圧力差による力と回転面に沿って真っ直ぐになろうとする力とが作用する。これらの力は、互いにうち消し合う方向に作用して釣り合うこととなり、その結果、アクセス部分の面振れが抑えられ、安定した状態でアクセスを行うことができる。
【０００４】
【特許文献１】特開２００３−９１９７０号公報
【発明の開示】
【発明が解決しようとする課題】
【０００５】
しかしながら、上記従来の光ディスク装置では、対物レンズおよび安定化ガイド部材のそれぞれを光ディスクの一方の側とその反対側に配置しなければならないため、装置全体が大型で複雑化してしまう。また、対物レンズおよび安定化ガイド部材のそれぞれに移動機構を必要とすることから、コストアップを招くという難点があった。
【０００６】
本願発明は、上記した事情のもとで考え出されたものであって、小型かつ簡単な構成でコストダウンを容易に図ることができる光ディスク装置を提供することをその課題としている。
【課題を解決するための手段】
【０００７】
上記課題を解決するため、本願発明では、次の技術的手段を講じている。
【０００８】
本願発明によって提供される光ディスク装置は、可撓性の光ディスクを回転させつつ、当該光ディスクに対物レンズを対向配置して光学的にアクセスを行う光ディスク装置であって、上記光ディスクに対して上記対物レンズと同じ側に配置されるとともに、当該対物レンズのディスク回転方向についての両隣に位置して上記光ディスクに近接させられる少なくとも一対以上のスタビライザを備えていることを特徴としている。
【０００９】
このような構成によれば、光ディスクに近接して当該光ディスクの回転姿勢を安定させるための少なくとも一対以上のスタビライザが対物レンズと同じ側に位置するため、これらのスタビライザおよび対物レンズを一体的なものとして取り扱うことができ、小型かつ簡単な構成でコストダウンを容易に図ることができる。
【００１０】
好ましい実施の形態としては、上記一対のスタビライザは、上記対物レンズとの間隔が同等となるように配置されている。
【００１１】
このような構成によれば、対物レンズが一対のスタビライザのちょうど中間に位置し、この対物レンズに対向する光ディスクのアクセス部分が最も安定した姿勢に保たれるため、当該アクセス部分に対して精度良く光学的なアクセスを行うことができる。
【００１２】
他の好ましい実施の形態としては、上記スタビライザは、長手状を呈して上記光ディスクの半径方向に沿うように配置されている。
【００１３】
このような構成によれば、対物レンズが光ディスクの半径方向に移動しても、その移動範囲内において当該対物レンズに対向する光ディスクのアクセス部分を安定した姿勢に保つことができる。
【００１４】
他の好ましい実施の形態としては、上記光ディスクに対する上記スタビライザの対向面は、曲面状に形成されており、かつ、上記光ディスクのインナー側からアウター側に向かって曲率半径が大きくなるように形成されている。
【００１５】
このような構成によれば、光ディスクが回転する際、曲面状となったスタビライザの対向面と光ディスクとの間に定常的な空気の流れを発生させることができ、当該スタビライザを空気軸受として機能させることができる。たとえば光ディスクが所定の回転数で回転する場合、当該光ディスクのインナー側における空気流の流速が小であるのに対してアウター側における空気流の流速が大となる。これに対し、スタビライザの対向面がインナー側からアウター側に向かって曲率半径が大きくなるように形成されているため、インナー側とアウター側とで空気流の流速が異なるにもかかわらず、光ディスクとスタビライザとの間に生じる空気流による圧力をインナー側からアウター側にかけて均等にすることができる。
【００１６】
他の好ましい実施の形態としては、上記スタビライザの対向面には、凹凸が形成されている。
【００１７】
このような構成によれば、光ディスクとスタビライザとの間に生じる圧力が当該スタビライザの対向面における凹凸に応じて分散するため、これによっても光ディスクのインナー側からアウター側にかけて均等に圧力を作用させることができる。
【００１８】
他の好ましい実施の形態としては、上記スタビライザは、上記光ディスクのインナー側からアウター側に向かって幅寸法が大きくなるように形成されている構成としてもよい。
【００１９】
他の好ましい実施の形態としては、上記一対のスタビライザのうち少なくとも一方のスタビライザは、上記光ディスクの円周方向に対する傾きを調整可能に構成されているようにしてもよい。
【００２０】
他の好ましい実施の形態としては、上記一対のスタビライザのうち少なくとも一方のスタビライザは、上記光ディスクの半径方向に対する傾きを調整するために、当該光ディスクの回転軸方向における位置を調整可能に構成されているようにしてもよい。
【００２１】
他の好ましい実施の形態としては、上記光ディスクのインナー側に位置する上記スタビライザの端部は、テーパ状に形成されている構成としてもよい。
【００２２】
他の好ましい実施の形態としては、上記対物レンズは、上記光ディスクの半径方向に移動可能なキャリッジに搭載されており、上記スタビライザは、上記キャリッジに搭載されている構成としてもよい。
【００２３】
他の好ましい実施の形態としては、上記スタビライザは、上記対物レンズに一体化されている構成としてもよい。
【００２４】
他の好ましい実施の形態としては、上記スタビライザは、上記光ディスクの表面硬さよりも軟質の素材からなる構成としてもよい。
【００２５】
他の好ましい実施の形態としては、上記光ディスクに対して上記一対のスタビライザおよび対物レンズが配置された側とは反対側に、さらに同一の構成からなる一対のスタビライザおよび対物レンズが配置されている構成としてもよい。
【００２６】
本願発明のその他の特徴および利点は、添付図面を参照して以下に行う詳細な説明によって、より明らかとなろう。
【発明を実施するための最良の形態】
【００２７】
以下、本願発明の好ましい実施の形態を、図面を参照して具体的に説明する。図１〜４は、本願発明に係る光ディスク装置の一実施形態を示している。なお、以下の実施形態では、光ディスク装置と称するが、これは光磁気ディスク装置も含まれるものである。
【００２８】
図１によく示されているように、本実施形態の光ディスク装置は、たとえば厚みが１００μｍ程度で可撓性を有する光ディスクＡを高速回転させ、この光ディスクＡに対して光学的なアクセスにより記録や再生を行うものである。この光ディスク装置の筐体内には、レーザ光源や各種の光学部品が組み込まれた固定光学系１、対物レンズ２、一対のスタビライザ３Ａ，３Ｂ、光ディスクＡを高速回転させるためのスピンドルモータ（図示略）などが設けられている。対物レンズ２およびスタビライザ３Ａ，３Ｂは、光ディスクＡの下面に対向配置されている。なお、光磁気ディスク装置の場合、光磁気ディスクの上面側には、光磁気ディスクに対して磁界を印加するための磁界発生装置が設けられている。
【００２９】
対物レンズ２は、図示しないレンズホルダなどを介してキャリッジ１０に搭載されており、このキャリッジ１０は、光ディスクＡの半径方向に移動可能となるように一対のガイドレール１１に支持されている。ガイドレール１１は、光ディスクＡに対して平行で、かつ光ディスクＡの半径方向に沿うように設けられており、筐体内の適部に固定されている。キャリッジ１０の両側には、磁石１２Ａおよびヨーク１２Ｂからなる磁気回路１２が設けられており、ヨーク１２Ｂには、光ディスクＡの半径方向に移動可能となるようにコイル保持体１３が嵌め合わされている。コイル保持体１３は、キャリッジ１０の両側部に一体化されており、このコイル保持体１３のコイルに電流を流すと、キャリッジ１０がガイドレール１１およびヨーク１２Ｂに案内されて光ディスクＡの半径方向に移動する。すなわち、対物レンズ２は、光ディスクＡの下面に対向しつつ光ディスクＡの半径方向に移動するように構成されている。
【００３０】
特に図示しないが、キャリッジ１０には、対物レンズ２をフォーカス方向（概ね光ディスクＡの回転軸に沿う方向）に可動調整するための電磁アクチュエータや、レーザビームを対物レンズ２へと導くための光学部品などが組み込まれている。固定光学系１のレーザ光源から出射したレーザビームは、キャリッジ１０に向けて進行し、キャリッジ１０の内部で光ディスクＡに向かうように反射させられ、最終的に対物レンズ２を通って光ディスクＡに照射される。このレーザビームが光ディスクＡで反射した光は、対物レンズ２およびキャリッジ１０の内部を通って固定光学系１に戻る。固定光学系１において反射光を検出することにより、光ディスクＡの半径方向位置ずれを示すトラックエラー信号や、線速度の変動を示すタンジェンタルプッシュプル信号が生成され、これらの信号に基づいて正確にアクセスが行われる。
【００３１】
スタビライザ３Ａ，３Ｂは、対物レンズ２に対向する光ディスクＡのアクセス部分を安定した姿勢に保ち、当該アクセス部分の面振れを抑えるためのものである。図２および図３に示されているように、これらのスタビライザ３Ａ，３Ｂは、対物レンズ２のディスク回転方向についての両隣の位置、具体的には対物レンズ２の両隣に位置する磁気回路１２の側方に配置されている。対物レンズ２は、２つのスタビライザ３Ａ，３Ｂのちょうど中間に位置しており、ディスク回転方向について見ると、２つのスタビライザ３Ａ，３Ｂは、対物レンズ２との間隔が同等となるように配置されている。たとえば図２に示すように、スタビライザ３Ａ，３Ｂのインナー側所定位置における間隔をＴａとし、アウター側所定位置における間隔をＴｂとすると、Ｔａ≦Ｔｂの関係になる。各スタビライザ３Ａ，３Ｂは、長手状に形成されており、概ね光ディスクＡの半径方向に沿うように配置されている。
【００３２】
図４に示されているように、光ディスクＡの下面に対するスタビライザ３Ａ，３Ｂの対向面３０は、当該下面に対して円弧をなすような曲面からなり、しかも、その曲率半径もしくは幅寸法が光ディスクＡのインナー側からアウター側に向かって大きくなっている。当該対向面３０の曲率半径と幅寸法については、少なくともいずれか一方が光ディスクのインナー側からアウター側に向かって大きくなっていればよい。たとえば、図４に示されているように、スタビライザ３Ａ，３Ｂの対向面３０は、インナー側、中央付近、アウター側の順に曲率半径をＲ１，Ｒ２，Ｒ３とし、幅寸法をＷ１，Ｗ２，Ｗ３とすると、Ｒ１≦Ｒ２≦Ｒ３もしくはＷ１≦Ｗ２≦Ｗ３となっている。本実施形態では、曲率半径および幅寸法の双方共に光ディスクＡのインナー側からアウター側に向かって大きくなっている。このようなスタビライザ３Ａ，３Ｂの対向面３０は、光ディスクＡが回転する際、この光ディスクＡのインナー側からアウター側に沿う部分にほとんど接するか接しないか程度で近接する。これは、光ディスクＡが高速回転することでその周囲に空気流が生じ、この空気流がスタビライザ３Ａ，３Ｂの対向面３０と光ディスクＡの表面との間を通り抜けるためである。このようなスタビライザ３Ａ，３Ｂは、いわゆる空気軸受として機能する。
【００３３】
本実施形態では、一例として一方のスタビライザ３Ａが図示しない調整用駆動手段を介して筐体内部の適部に支持されており、他方のスタビライザ３Ｂが筐体内部に固定されている。一方のスタビライザ３Ａは、光ディスクＡの円周方向に対する傾きθｔ（図４参照）と、光ディスクＡの回転軸方向における位置ｚ（図４参照）とが上記調整用駆動手段によって調整されるようになっている。なお、スタビライザの傾きや位置の調整は、双方のスタビライザについて行うようにしてもよい。また、傾きあるいは位置のいずれか一方の調整だけを行うようにしてもよい。スタビライザ３Ａについて光ディスクＡの回転軸方向における位置ｚを調整するのは、光ディスクＡの半径方向に対するスタビライザ３Ａの傾きを調整するためであり、この半径方向に対する傾きは、ラジアルプッシュプル信号もしくはトラックエラー信号を用いて調整される。また、円周方向に対するスタビライザ３Ａの傾きθｔは、タンジュンシャプッシュプル信号を用いて調整される。スタビライザ３Ａ，３Ｂは、光ディスクＡの表面硬さよりも軟質の素材、たとえばレジスト材料あるいはゴム材料などを用いて形成されている。そのため、高速回転する光ディスクＡの表面がスタビライザ３Ａ，３Ｂの対向面３０にたとえ当たっても、光ディスクＡには傷が付きにくい。
【００３４】
次に、上記光ディスク装置の作用について説明する。
【００３５】
光ディスクＡが所定の回転数で高速回転する際、図３に示されているように、スタビライザ３Ａ，３Ｂが光ディスクＡの下面に近接し、これらスタビライザ３Ａ，３Ｂの間に光ディスクＡのアクセス部分が架かった状態となる。
【００３６】
このとき、光ディスクＡの下面とスタビライザ３Ａ，３Ｂとの間には、空気流によって負圧が生じる。このような負圧の圧力分布は、スタビライザの対向面が平坦状で幅寸法が一定の場合、光ディスクのインナー側よりもアウター側において空気流の流速が大となるため、インナー側からアウター側へと次第に大きくなる傾向を示す。その点、本実施形態においては、スタビライザ３Ａ，３Ｂが光ディスクＡの半径方向に沿うように配置され、また、スタビライザ３Ａ，３Ｂの対向面３０の曲率半径および幅寸法がインナー側からアウター側へと次第に大きくなっているため、インナー側からアウター側にわたって負圧が均等に分布する。これにより、光ディスクＡのアクセス部分は、スタビライザ３Ａ，３Ｂ側に若干吸い寄せられた姿勢となり、対物レンズ２がどの移動位置にあっても当該対物レンズ２との距離が一定で面振れすることなく回転する。
【００３７】
また、光ディスクＡのアクセス部分は、２つのスタビライザ３Ａ，３Ｂの中間位置において最も安定した平坦姿勢となるが、その中間位置に対物レンズ２が配置されているため、光ディスクＡに対しては、対物レンズ２を介して光学的なアクセスが精度良く行われる。
【００３８】
一般に、光ディスクには、厚みなどといった寸法にある程度のばらつきがあるため、ディスク交換ごとに対物レンズに対する光ディスクのアクセス部分の姿勢が微妙に異なってしまう。すなわち、光ディスクが半径方向や円周方向に傾くと、トラックエラー信号やタンジェンタルプッシュプル信号にオフセットが生じる。本実施形態では、一方のスタビライザ３Ａについて、光ディスクＡの円周方向に対する傾きθｔや半径方向に対する傾きをディスク交換時に調整することにより、上記オフセットが許容範囲内の値になっている。そのため、光ディスクＡを交換しても、上記のような傾き調整によって適正なトラックエラー信号やタンジェンタルプッシュプル信号が得られ、半径依存による傾きが補正される。つまり、対物レンズ２が光ディスクＡの半径方向にランダムに移動しても正確にアクセスを行うことができる。
【００３９】
したがって、本実施形態の光ディスク装置によれば、光ディスクＡに対して一対のスタビライザ３Ａ，３Ｂが対物レンズ２と同じ下面側に配置されているため、光ディスク装置の筐体内において光ディスクＡの上面側スペースをできる限り切り詰めることができ、これにより光ディスク装置の小型化を図ることができる。
【００４０】
また、スタビライザ３Ａ，３Ｂについては、対物レンズ２用の駆動機構（磁気回路１２およびコイル保持体１３）のようなものを必要としないため、簡単な部品構成とした上でコストダウンを図ることができる。
【００４１】
図５〜１３は、本願発明に係る光ディスク装置の他の実施形態を示している。なお、先述した実施形態の構成要素と同一または類似のものについては、同一符号を付してその説明を省略する。
【００４２】
図５に示される実施形態では、スタビライザ３Ａ，３Ｂの対向面３０における幅寸法が光ディスクＡ（図示略）のインナー側からアウター側に向かって大きくなっている一方（Ｗ１≦Ｗ２≦Ｗ３）、曲率半径Ｒが一定である。このようにスタビライザ３Ａ，３Ｂの幅寸法がインナー側からアウター側へと大きくなっているだけでも、インナー側からアウター側にわたって負圧を均等に生じさせる効果がある。このような対向面３０をもつスタビライザ３Ａ，３Ｂによっても、光ディスクＡのアクセス部分を面振れなく回転させることができる。
【００４３】
図６に示される実施形態では、スタビライザ３Ａ，３Ｂの対向面３０が光ディスクＡ（図示略）のインナー側からアウター側にかけて凹凸をなすように形成されている。スタビライザ３Ａ，３Ｂの幅寸法については、インナー側からアウター側にかけて一定になっている。仮にスタビライザの対向面が一様な平坦面である場合、インナー側とアウター側との間となる中央付近で負圧が最も大きくなるが、本実施形態のようにスタビライザ３Ａ，３Ｂの幅寸法が一定でも対向面３０が凹凸状になっていると、インナー側からアウター側にわたって負圧を分散させて均等に生じさせる効果がある。このような効果は、スタビライザの対向面の幅寸法や曲率半径がインナー側とアウター側とで異なる場合でも同様に発揮される。このような対向面３０をもつスタビライザ３Ａ，３Ｂによっても、光ディスクＡのアクセス部分を面振れなく回転させることができる。
【００４４】
図７〜１０に示される実施形態では、一対のスタビライザ３Ａ，３Ｂが対物レンズ２に対してより近い位置、具体的には対物レンズ２の両側に位置するキャリッジ１０の適部に固定されている。対物レンズ２は、２つのスタビライザ３Ａ，３Ｂのちょうど中間に位置している。すなわち、スタビライザ３Ａ，３Ｂは、対物レンズ２との位置関係を保ちながらキャリッジ１０によって光ディスクＡの半径方向に移動させられる。本実施形態のスタビライザ３Ａ，３Ｂは、先述した実施形態のものに比べて相当短く、対物レンズ２の長径寸法程度の長さであるが、スタビライザ３Ａ，３Ｂの対向面３０における幅寸法や曲率半径については、図１などに示されるものと同様の構成となっている。図１０によく示されているように、光ディスクＡのインナー側に位置するスタビライザ３Ａ，３Ｂの端部３１は、テーパ状に形成されている。これにより、ディスク交換時にキャリッジ１０が光ディスクＡのアウター側となる退避位置にあり、新たな光ディスクＡがキャリッジ１０上へと側方から搬送されてくる際、当該光ディスクＡがスタビライザ３Ａ，３Ｂの端部３１に突き当たって折れ曲がるようなことはない。また、キャリッジ１０が退避位置からインナー側へと移動し始める段階においても、スタビライザ３Ａ，３Ｂの端部３１に沿って光ディスクＡが持ち上げられるため、当該光ディスクＡがスタビライザ３Ａ，３Ｂの端部３１に突き当たって折れ曲がるようなことはない。このようなスタビライザ３Ａ，３Ｂによっても、先述した実施形態によるものと同様の効果を発揮することができる。
【００４５】
図１１および図１２に示される実施形態では、コイル付きレンズ４が鏡筒５を介して対物レンズ２の上方に支持されており、このコイル付きレンズ４の光ディスクＡに対する対向面にスタビライザ３Ａ，３Ｂが固定されている。コイル付きレンズ４は、光ディスクＡに対して磁界を印加するためのコイルをガラス基板に一体したものであって、磁界発生装置として用いられる。すなわち、光ディスクＡは、光学的および磁気的にアクセス可能な光磁気ディスクからなる。スタビライザ３Ａ，３Ｂは、コイル付きレンズ４を介して対物レンズ２に一体化されており、この対物レンズ２とともにキャリッジ１０によって光ディスクＡの半径方向に移動させられる。本実施形態のスタビライザ３Ａ，３Ｂも、図７などに示されるものと同様の構成となっている。したがって、このようなスタビライザ３Ａ，３Ｂによっても、先述した実施形態によるものと同様の効果を発揮することができる。
【００４６】
図１３に示される実施形態は、図１１および図１２に示される構成要素を光ディスクＡの両面側に備えたものである。すなわち、一方のスタビライザ３Ａ，３Ｂは、光ディスクＡの下面に近接させられ、他方のスタビライザ３Ａ，３Ｂは、光ディスクＡの上面に近接させられる。このような構成では、光ディスクＡの下面側に生じる負圧と上面側に生じる負圧とが釣り合うことにより、上下に位置するスタビライザ３Ａ，３Ｂの間を光ディスクＡのアクセス部分が面振れすることなく安定した姿勢で通り抜けていく。このような構成によれば、光ディスクＡの両面に対してデータを記録することができ、記録量や記録速度をより大きくすることができる。
【００４７】
なお、本願発明は、上記の各実施形態に限定されるものではない。
【００４８】
本願発明は、光ディスクに限らず、光磁気ディスクに対して光学的および磁気的にアクセスを行う光磁気ディスク装置においても適用可能である。
【００４９】
上記の各実施形態に関し、さらに以下の付記を開示する。
【００５０】
（付記１）
可撓性の光ディスクを回転させつつ、当該光ディスクに対物レンズを対向配置して光学的にアクセスを行う光ディスク装置であって、上記光ディスクに対して上記対物レンズと同じ側に配置されるとともに、当該対物レンズのディスク回転方向についての両隣に位置して上記光ディスクに近接させられる少なくとも一対以上のスタビライザを備えていることを特徴とする、光ディスク装置。
【００５１】
（付記２）
上記一対のスタビライザは、上記対物レンズとの間隔が同等となるように配置されている、付記１に記載の光ディスク装置。
【００５２】
（付記３）
上記スタビライザは、長手状を呈して上記光ディスクの半径方向に沿うように配置されている、付記１または２に記載の光ディスク装置。
【００５３】
（付記４）
上記光ディスクに対する上記スタビライザの対向面は、曲面状に形成されている、付記３に記載の光ディスク装置。
【００５４】
（付記５）
上記スタビライザの対向面は、上記光ディスクのインナー側からアウター側に向かって曲率半径が大きくなるように形成されている、付記４に記載の光ディスク装置。
【００５５】
（付記６）
上記スタビライザは、上記光ディスクのインナー側からアウター側に向かって幅寸法が大きくなるように形成されている、付記３ないし５のいずれかに記載の光ディスク装置。
【００５６】
（付記７）
上記光ディスクに対する上記スタビライザの対向面には、凹凸が形成されている、付記３ないし６のいずれかに記載の光ディスク装置。
【００５７】
（付記８）
上記一対のスタビライザのうち少なくとも一方のスタビライザは、上記光ディスクの円周方向に対する傾きを調整可能に構成されている、付記３ないし７のいずれかに記載の光ディスク装置。
【００５８】
（付記９）
上記一対のスタビライザのうち少なくとも一方のスタビライザは、上記光ディスクの半径方向に対する傾きを調整するために、当該光ディスクの回転軸方向における位置を調整可能に構成されている、付記３ないし８のいずれかに記載の光ディスク装置。
【００５９】
（付記１０）
上記光ディスクのインナー側に位置する上記スタビライザの端部は、テーパ状に形成されている、付記３ないし９のいずれかに記載の光ディスク装置。
【００６０】
（付記１１）
上記対物レンズは、上記光ディスクの半径方向に移動可能なキャリッジに搭載されており、上記スタビライザは、上記キャリッジに搭載されている、付記１ないし１０のいずれかに記載の光ディスク装置。
【００６１】
（付記１２）
上記スタビライザは、上記対物レンズに一体化されている、付記１ないし１１のいずれかに記載の光ディスク装置。
【００６２】
（付記１３）
上記スタビライザは、上記光ディスクの表面硬さよりも軟質の素材からなる、付記１ないし１２のいずれかに記載の光ディスク装置。
【００６３】
（付記１４）
上記光ディスクに対して上記一対のスタビライザおよび対物レンズが配置された側とは反対側に、さらに同一の構成からなる一対のスタビライザおよび対物レンズが配置されている、付記１ないし１３のいずれかに記載の光ディスク装置。
【図面の簡単な説明】
【００６４】
【図１】本願発明に係る光ディスク装置の一実施形態を示す要部斜視図である。
【図２】図１に示す光ディスク装置の要部上面図である。
【図３】図１に示す光ディスク装置の要部正面図である。
【図４】図１の光ディスク装置に含まれるスタビライザの形状を説明するための説明図である。
【図５】他の実施形態によるスタビライザの形状を説明するための説明図である。
【図６】他の実施形態によるスタビライザの形状を説明するための説明図である。
【図７】他の実施形態による光ディスク装置を示す要部斜視図である。
【図８】図７に示す光ディスク装置の要部上面図である。
【図９】図７に示す光ディスク装置の要部正面図である。
【図１０】図７の光ディスク装置に含まれるスタビライザの形状を説明するための説明図である。
【図１１】他の実施形態による光ディスク装置を示す要部斜視図である。
【図１２】図１１に示す光ディスク装置の要部正面図である。
【図１３】他の実施形態による光ディスク装置の要部正面図である。
【符号の説明】
【００６５】
Ａ          光ディスク
２          対物レンズ
１０        キャリッジ
３Ａ，３Ｂ  スタビライザ
３０        スタビライザの対向面
３１        スタビライザの端部
【図１】
2006244583.tif 000003
【図２】
2006244583.tif 000004
【図３】
2006244583.tif 000005
【図４】
2006244583.tif 000006
【図５】
2006244583.tif 000007
【図６】
2006244583.tif 000008
【図７】
2006244583.tif 000009
【図８】
2006244583.tif 000010
【図９】
2006244583.tif 000011
【図１０】
2006244583.tif 000012
【図１１】
2006244583.tif 000013
【図１２】
2006244583.tif 000014
【図１３】
2006244583.tif 000015